(57)【特許請求の範囲】
【請求項１】
紙箱の蓋フラップの外面に沿って配置され、互いに長さ調節可能に連結される一対の連結部材と、この一対の連結部材の外側端部に設けられた互いに対向するロック板と、この対向するロック板の対向面に設置され、一対の連結部材を互いに引き寄せて、紙箱の胴部の側壁にロック板を当接させた状態で、紙箱の胴部と蓋フラップの両側辺との間に形成される隙間に差し込まれる差込片と、この差込片を上記隙間に差し込んだ状態で、一対の連結部材が互いに引き離し方向に拡がらないようにロックし、解除具によってロック状態を解除することができるロック機構と、上記連結部材又はロック板の外面側に露出しない位置に装着される盗難防止タグとからなる紙箱入り商品の盗難防止器具。
【請求項２】
一対の連結部材が、裏面両側にガイド溝を有するガイド板と、このガイド板の裏面のガイド溝によって、ガイド板に対して出し入れ可能に挿入される挿入板とからなる請求項１記載の紙箱入り商品の盗難防止器具。
【発明の詳細な説明】
【技術分野】
【０００１】
この発明は、薬局やドラッグストア等の店舗において陳列されている医薬品等の紙箱入り商品を、盗難、いわゆる万引から護るために使用する、盗難防止器具に関するものである。
【背景技術】
【０００２】
薬局やドラッグストア等では、紙箱入りの医薬品等の商品を店舗内に直接陳列し、客が、陳列された商品を手にとって、紙箱に印刷された効能等の商品情報を確認し、購入することが多い。
【０００３】
ところが、店舗内に商品を直接陳列した場合、紙箱入りの医薬品等の商品は、比較的に高価であるのに、嵩が小さく、そのため、万引きの被害に遭いやすい。
【０００４】
このため、医薬品等の高価な商品には、電子式の盗難防止タグを貼り付け、店舗の出入口に、盗難防止タグの検知ゲートを設置し、不正に商品を持ちだそうとした場合に、警報音を鳴らす等して管理者に報知する盗難防止システムを採用しているところもある。
【発明の概要】
【発明が解決しようとする課題】
【０００５】
しかしながら、商品の紙箱に盗難防止タグを貼り付ける従来の盗難防止システムでは、商品の販売時に、店員がレジで盗難防止タグを剥がす必要があり、丁寧に剥がさないと、紙箱の印刷面が破れ、商品外観を傷付けてしまうという問題がある。
【０００６】
また、紙箱から剥がした盗難防止タグは、紙箱に再貼付できないため、再利用ができないという問題がある。
【０００７】
そこで、この発明は、陳列状態では、紙箱を破壊しない限り、紙箱から取り除くことが困難で、レジでは、店員が簡単に、紙箱を傷付けることなく、取り除くことができる、紙箱入り商品の盗難防止器具を提供しようとするものである。
【課題を解決するための手段】
【０００８】
前記の課題を解決するために、この発明は、紙箱の蓋フラップの外面に沿って配置され、互いに長さ調節可能に連結される一対の連結部材と、この一対の連結部材の外側端部に設けられた互いに対向するロック板と、この対向するロック板の対向面に設置され、一対の連結部材を互いに引き寄せて、紙箱の胴部の側壁にロック板を当接させた状態で、紙箱の胴部と蓋フラップの両側辺との間に形成される隙間に差し込まれる差込片と、この差込片を上記隙間に差し込んだ状態で、一対の連結部材が互いに引き離し方向に拡がらないようにロックし、解除具によってロック状態を解除することができるロック機構と、上記連結部材又はロック板の外面側に露出しない位置に装着される盗難防止タグとによって、盗難防止器具を構成したものである。
【０００９】
前記構成の盗難防止器具は、紙箱の蓋フラップの外面に装着して使用され、取り外すには、解除具を使用することにより、店員がレジで盗難防止器具を簡単に取り外すことができる。
【００１０】
一方、客は、紙箱の蓋フラップを引き千切るなど、紙箱を破壊すればともかく、盗難防止器具を人目に付かずに取り外すことができないので、不正に盗難防止器具を取付けたまま商品を店外に持ち出そうとした場合、盗難防止器具に装着した盗難防止タグによって店舗の出入口に設置した検知ゲートにより、警報音等が鳴る。
【発明の効果】
【００１１】
したがって、この発明の盗難防止器具を紙箱に装着しておけば、万引きを有効に防止することができる。
また、レジで取り外した盗難防止器具は、再利用できるので、盗難防止タグが無駄にならず、コストを削減することができる。
【図面の簡単な説明】
【００１２】
【図１】この発明の盗難防止器具を装着した紙箱入り商品の斜視図である。
【図２】（Ａ）はこの発明の盗難防止器具の表面側の斜視図、（Ｂ）は（Ａ）の裏面側の斜視図である。
【図３】（Ａ）はこの発明の盗難防止器具を紙箱の蓋フラップの外面に沿って配置し、ガイド板と挿入板をロックする前の状態を示す平面図、（Ｂ）は（Ａ）の状態の部分縦断面図である。
【図４】（Ａ）はこの発明の盗難防止器具を紙箱の蓋フラップの外面に沿って配置し、ガイド板と挿入板をロックした状態を示す平面図、（Ｂ）は（Ａ）の状態の部分縦断面図である。
【図５】この発明の盗難防止器具を紙箱の蓋フラップの外面に沿って配置した状態を示す側面図である。
【図６】（Ａ）はこの発明の盗難防止器具を解除具によってガイド板と挿入板のロックを解除する状態を示す平面図、（Ｂ）は（Ａ）の状態の部分縦断面図である。
【図７】この発明の盗難防止器具を解除具の斜視図である。
【発明を実施するための形態】
【００１３】
以下、この発明を実施するための形態を添付図面に基づいて説明する。
この発明に係る盗難防止器具は、図１に示すように、紙箱１の蓋フラップ１ａの外面に装着して使用される。
【００１４】
この盗難防止器具は、紙箱１の蓋フラップ１ａの外面に沿って配置され、互いに長さ調節可能に連結される一対の連結部材２を備える。
【００１５】
一対の連結部材２は、図２（Ａ）（Ｂ）に示すように、裏面両側にガイド溝３ａを有するガイド板３と、このガイド板３の裏面のガイド溝３ａによって、ガイド板３に対して出し入れ可能に挿入される挿入板４とからなる。
【００１６】
一対の連結部材２の外側端部、即ち、ガイド板３と挿入板４の外側端部には、互いに対向するロック板５、６が設けられている。
【００１７】
この対向するロック板５、６の対向面には、ガイド板３と挿入板４を互いに引き寄せて、紙箱１の４角形の胴部１ｂの側壁にロック板５、６を当接させた状態で、紙箱１の胴部１ｂと蓋フラップ１ａの両側辺との間に形成される隙間Ａに差し込まれる差込片７、８が設けられている。
【００１８】
ガイド板３側のロック板５には、差込片７がロック板５の幅方向の前後に２個設けられている。
【００１９】
また、挿入板４側のロック板６には、差込片８が挿入板４の幅方向の中央に１個設けられている。
【００２０】
差込片７、８は、いずれも先端が尖った刃型形状に形成しており、紙箱１の外面がシュリンク包装されていても、シュリンクフィルムを突き刺すことができるようにしている。
【００２１】
ガイド板３と挿入板４には、図３（Ａ）（Ｂ）に示すように、挿入板４の先端を、ガイド板３のガイド溝３ａに差し入れた状態から、図４（Ａ）（Ｂ）に示すように、挿入板４をガイド板３のガイド溝３ａに沿って押し入れることにより、ガイド板３と挿入板４のロック板５、６が紙箱１の胴部１ｂの側壁に当接し、ロック板５、６の対向面に設けられた差込片７、８が、紙箱１の胴部１ｂと蓋フラップ１ａの両側辺との間に形成される隙間Ａに差し込まれる。
【００２２】
そして、ガイド板３と挿入板４には、紙箱１の胴部１ｂと蓋フラップ１ａの間の隙間Ａに差し込んだ状態で、一対の連結部材２、即ち、ガイド板３と挿入板４が互いに引き離し方向に拡がらないようにロックするロック機構が設けられている。
【００２３】
このロック機構としては、例えば、ガイド板３の裏面側にガイド板３に沿って設けた多数の段付き形状の係合部９と、挿入板４に設けた、ガイド板３の係合部９に嵌まる係合爪１０とによって構成することができ、挿入板４をガイド板３のガイド溝３ａに沿って押し入れることにより、挿入板４の係合爪１０がガイド板３の係合部９に嵌まり、挿入板４の係合爪１０がガイド板３の係合部９に嵌まった状態で、挿入板９がガイド板３に対して引き抜き方向に移動しないようにロックすることができる。
【００２４】
したがって、ガイド板３と挿入板４を、図３（Ａ）（Ｂ）に示す状態から、図４（Ａ）（Ｂ）に示すように、ロック板５、６の対向面に設けられた差込片７、８が、紙箱１の胴部１ｂと蓋フラップ１ａの両側辺との間に形成される隙間Ａに差し込まれた状態にすると、ガイド板３と挿入板４が互いにロックされ、ガイド板３と挿入板４が紙箱１に対して分離不能に装着される。
【００２５】
紙箱１に対して分離不能に装着された盗難防止器具を紙箱１から取り外す場合には、次のように行う。
【００２６】
即ち、図６（Ａ）（Ｂ）に示すように、ガイド板３の裏面と挿入板４の間に、ガイド板３のロック板５の中央に設けた挿入穴１１から押えプレート１２ａを差し込み、挿入板４の係合爪１０を押えることにより、挿入板４の係合爪１０をガイド板３の係合部９から外すことができる。これにより、ガイド板３と挿入板４のロック状態が解除されるので、ガイド板３に対して挿入板４を引き抜くことができる。
【００２７】
したがって、図７に示すような、押えプレート１２ａを備えた解除具１２を、レジに用意しておけば、店員はレジで、解除具１２の押えプレート１２ａをガイド板３のロック板５の中央に設けた挿入穴１１から差し込むことにより、簡単にガイド板３と挿入板４を紙箱１から取り外すことができる。
【００２８】
上記係合部９と係合爪１０の解錠機構は、上記押えプレート１２ａを使用する方式に限定されず、例えば、係合爪１０に鉄片を取付け、磁石により係合爪１０を吸引して係合部９と係合爪１０との係合を解除したり、解除具１２に突起を設け、ガイド板３に設けた貫通孔から突起によって係合爪１０を押し下げて、係合部９と係合爪１０との係合を解除したりする方式を採用してもよい。
【００２９】
紙箱１に対して分離不能に装着されるガイド板３と挿入板４には、外面側に露出しない位置に盗難防止タグ１３が装着される。この盗難防止タグ１３を装着した商品を不正に持ちだそうとした場合、店舗の出入口に設置した検知ゲートにより、警報音等が鳴るようになっている。
【００３０】
図２（Ｂ）に示す例では、盗難防止タグ１３を挿入板４の裏面に張り付けている。
【００３１】
盗難防止タグ１３は、外面側に露出しない位置であれば、ガイド板３や挿入板４の内面、あるいはロック板５、６の内面に直接貼り付けなくても、例えば、連結紐を使用して盗難防止タグ１３をガイド板３や挿入板４に吊り下げ、吊り下げた盗難防止タグ１３を紙箱１内に収容するようにしてもよい。
【００３２】
この発明の盗難防止器具は、図１に示すように、紙箱１の蓋フラップ１ａの外面に装着して使用され、取り外すには、図７に示すような、解除具１２を必要とする。解除具１２を使用すると、店員がレジで盗難防止器具を簡単に取り外すことができる。
【００３３】
紙箱１の蓋フラップ１ａを引き千切るなど、紙箱１を破壊すれば、盗難防止器具を取り外すことはできても、店内で紙箱を破壊する行為は、人目に付き易いので、万引きを躊躇させる。
【００３４】
したがって、この発明の盗難防止器具を紙箱１に装着しておけば、万引きを有効に防止することができる。
【符号の説明】
【００３５】
Ａ  隙間
１  紙箱
１ａ  蓋フラップ
１ｂ  胴部
２  連結部材
３  ガイド板
３ａ  ガイド溝
４  挿入板
５、６  ロック板
７、８  差込片
９  係合部
１０  係合爪
１１  挿入穴
１２  解除具
１２ａ  押えプレート
１３  盗難防止タグ
【図１】
0005456086.tif 000002
【図２】
0005456086.tif 000003
【図３】
0005456086.tif 000004
【図４】
0005456086.tif 000005
【図５】
0005456086.tif 000006
【図６】
0005456086.tif 000007
【図７】
0005456086.tif 000008